(57)【要約】【課題】耐久性に優れたヒンジキャップを提供する。【解決手段】キャップ本体１と、蓋体４とを一体に連結したヒンジ６もつヒンジキャップＡであって、前記キャップ本体１の上部２には上方に突出したキャップ本体リブ部８を設置するとともに、前記蓋体４の内面に蓋体リブ部１３を設け、前記蓋体４がキャップ本体１と閉蓋した時に前記蓋体リブ部１３が前記キャップ本体リブ部８と前記キャップ本体リブ部８の間に入り込み固定するヒンジキャップＡである。【選択図】図１
2010058797.tif 000002
【特許請求の範囲】
【請求項１】
円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部にヒンジを中心位置として左右に上方に突出したキャップ本体リブ部を設置すると共に、前記蓋体の内面に蓋体リブ部を設け、前記蓋体がキャップ本体と閉蓋した時に前記蓋体リブ部が左右に設置された前記キャップ本体リブ部と前記キャップ本体リブ部の間に入り込み固定することを特徴とするヒンジキャップ。
【請求項２】
円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部には上方に突出したキャップ本体リブ部を設置すると共に、前記蓋体の蓋体の内面に凹部を設け、前記蓋体がキャップ本体と閉蓋した時に前記キャップ本体リブ部が前記凹部に入り込み固定することを特徴とするヒンジキャップ。
【請求項３】
円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部にヒンジを中心位置として左右に上方に突出したキャップ本体リブ部を設置すると共に、前記蓋体の内面に凹部を設けて、この凹部に蓋体リブ部を設け、前記蓋体がキャップ本体と閉蓋した時に前記キャップ本体リブ部が前記凹部に、前記蓋体リブ部が左右に設置された前記キャップ本体リブ部と前記キャップ本体リブ部の間に入り込み固定することを特徴とするヒンジキャップ。
【請求項４】
前記蓋体の天板部の外周を外方に突出したツバ部を形成したことを特徴とする請求項１、請求項２又は請求項３に記載のヒンジキャップ。
【発明の詳細な説明】
【技術分野】
【０００１】
本発明は、練り歯磨きや練りからし用のチューブ容器の口部に装着されるキャップ本体に蓋体が開閉自在にヒンジを介して接続するヒンジキャップに関するものである。
【背景技術】
【０００２】
特許文献１では、蓋体を閉鎖状態から開放状態にした時に、弾性変形可能なヒンジが反り返って開放された状態を維持することができ、また、閉鎖状態においては、円錐台面の一部、又は円錐面の一部を、基体の上側周及び蓋体の下側周からわずかに突出するだけであるキャップとして、基体の側周上部の一部分と蓋体の側周下部の一部分を、短帯形状の弾性変形可能なヒンジ、及びヒンジの両側に連設した円錐台面の一部からなる形状の弾性変形可能なヒンジを介して連結したキャップが記載されている。
【０００３】
また、閉蓋時のヒンジの突出を防止して外見を良好にするとともに、手触りの感触が良く、耐久性に優れたものとして、特許文献２に記載のヒンジに対応した本体及び蓋体の外側部にヒンジを収容する本体側収容溝と蓋体側収容溝を設け、各ヒンジの両側縁を本体及び蓋体の多角形状外周の角部に沿わせたヒンジキャップが記載されている。
【０００４】
【特許文献１】実開平６−６１７４４号公報
【特許文献２】実用新案登録第２５９８８３７号公報
【発明の開示】
【発明が解決しようとする課題】
【０００５】
特許文献１のヒンジキャップは、蓋体を開閉する際に、蓋体に印加する力が、蓋体の前方と後方を結ぶ中心線上から少しでもずれると、ヒンジに対して、剪断力が強く発生してしまうので、使用者が蓋体を開けるときに、蓋体の前部中心からずれた位置に指をかけてしまったり、開ける方向が傾斜ぎみになると、ヒンジにひねりが発生し、前記ひねりでヒンジが剪断する作用が働き、ヒンジの劣化が早くなってしまう状態である。
【０００６】
そこで、特許文献１の問題を解消すべく、ヒンジが本体及び蓋体の外周面から突出せず、蓋体を開閉する際、ヒンジを分断させることで、蓋体に印加されるひねりの力がヒンジに対して、剪断力ではなく引張力として作用させた特許文献２の容器口部の閉蓋具が述べられているが、例えば歯磨きやからしなどの粘稠物が入ったチューブ容器などに装着する場合に、粘稠性の内容物の残量が少なくなった時には、チューブ容器を逆さまにして倒立させておくことで、チューブ容器内に入っている内容物を開口付近に移動させ、次に使用するときに内容物を出しやすくしておくことが必要となるが、使用する過程でチューブ容器内に入った内容物を搾り出していくと、内容物がチューブ容器内で片寄った位置に存在した場合に、チューブ容器を逆さまにして倒立させることが出来にくくなるヒンジキャップの形状である。また、仮に本発明品であるヒンジキャップのように、チューブ容器を倒立させるために蓋体の天板部の外周に外方に突出したツバ部を、特許文献２に記載の閉蓋具に形成した場合でも、特許文献２に記載のヒンジ形状では蓋体の前部中心からずれた位置である、例えば蓋体の真横の位置のツバ部から開蓋しようした場合に、ヒンジ切れが発生してしまう状態である。
【０００７】
本発明の目的は、上記課題を解決し、蓋体の真横の位置のツバ部から開蓋しようした場合に、キャップ本体リブ部が蓋体の凹部に入り込みガードされて、ヒンジにひねりを発生させることなく耐久性に優れたヒンジキャップを提供することである。
【課題を解決するための手段】
【０００８】
円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部のヒンジの近傍位置にヒンジを中心位置として左右に上方に突出した前記キャップ本体リブ部を設置すると共に、前記蓋体のヒンジ近傍の内面に蓋体リブ部を設け、前記蓋体リブ部が左右に設置された前記キャップ本体リブ部と前記キャップ本体リブ部の間に入り込み固定するヒンジキャップである。
【０００９】
円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部には上方に突出したキャップ本体リブ部を設置すると共に、前記蓋体のヒンジ近傍の蓋体の内面に凹部を設け、前記蓋体がキャップ本体と閉蓋した時に前記キャップ本体リブ部が前記凹部に入り込み固定するヒンジキャップである。
【００１０】
円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部にヒンジを中心位置として左右に上方に突出したキャップ本体リブ部を設置すると共に、前記蓋体のヒンジ近傍の凹部に蓋体リブ部を設け、前記蓋体がキャップ本体と閉蓋した時に前記キャップ本体リブ部が前記凹部に、前記蓋体リブ部が左右に設置された前記キャップ本体リブ部と前記キャップ本体リブ部の間に入り込み固定することを特徴とするヒンジキャップである。
【００１１】
前記蓋体の天板部の外周を外方に突出したツバ部を形成したヒンジキャップである。
【発明の効果】
【００１２】
本発明は、円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部のヒンジの近傍位置にヒンジを中心位置として左右に上方に突出した前記キャップ本体リブ部を設置すると共に、前記蓋体のヒンジ近傍に蓋体リブ部を設け、前記蓋体リブ部が左右に設置された前記キャップ本体リブ部と前記キャップリブ部の間に入り込み固定するヒンジキャップであるので、使用者が蓋体を開けるときに、蓋体の前部中心からずれた位置に指をかけてしまったり、開ける方向が傾斜ぎみになったりした場合でも、２箇所に設置された前記キャップ本体リブ部同士が、蓋体を閉蓋するときに蓋体リブ部を挟みこみ固定させることで、ヒンジにひねりを発生させることなく蓋体の開閉を行うことができるので、前記ヒンジの剪断が起こらず耐久性に優れたヒンジキャップを提供することができる。
【００１３】
また、円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部には上方に突出したキャップ本体リブ部を設置すると共に、前記蓋体のヒンジ近傍の蓋体の内面に凹部を設け、前記蓋体がキャップ本体と閉蓋した時に前記キャップ本体リブ部が前記凹部に入り込み固定するヒンジキャップであるので、使用者が蓋体を開けるときに、蓋体の前部中心からずれた位置に指をかけてしまったり、開ける方向が傾斜ぎみになったりした場合でも、前記蓋体を閉蓋するときに前記キャップ本体リブ部が、蓋体の凹部に入りこみ固定させることで、ヒンジにひねりを発生させることなく蓋体の開閉を行うことができるので、前記ヒンジの剪断が起こらず耐久性に優れたヒンジキャップを提供することができる。
【００１４】
更に、円筒状の外筒と上部に開口部を有するキャップ本体と、円筒状の外筒と内面に開口部を密閉する嵌合部を有する蓋体とを弾性変形可能なヒンジを介して連結したヒンジキャップであって、前記上部にヒンジを中心位置として左右に上方に突出したキャップ本体リブ部を設置すると共に、前記蓋体のヒンジ近傍の凹部に蓋体リブ部を設け、前記蓋体がキャップ本体と閉蓋した時に前記キャップ本体リブ部が前記凹部に、前記蓋体リブ部が左右に設置された前記キャップ本体リブ部と前記キャップ本体リブ部の間に入り込み固定することを特徴とするヒンジキャップであるので、使用者が蓋体を開けるときに、蓋体の前部中心からずれた位置に指をかけてしまったり、開ける方向が傾斜ぎみになったりした場合でも、前記蓋体を閉蓋するときに、２箇所に設置された前記キャップ本体リブ部同士が、蓋体リブ部を挟みこみ固定させる共に、前記キャップ本体リブ部が、蓋体の凹部に入りこみ固定させることで、よりヒンジにひねりを発生させることなく蓋体の開閉を行うことができる。よって、前記ヒンジの剪断が起こらず耐久性に優れたヒンジキャップを提供することができる。
【００１５】
更に、前記蓋体の天板部の外周を外方に突出したツバ部を形成したヒンジキャップであるので、練り歯磨きや練りからしなどの粘稠物が入ったチューブ容器に装着することで、チューブ容器を逆さまにして倒立させることができるので、粘稠性の内容物の残量が少なくなった時でも、常にチューブ容器の開口付近に内容物を移動させておくことができるので、内容物を出しやすくするヒンジキャップを提供することができる。
【発明を実施するための最良の形態】
【００１６】
図１乃至図３において、本発明は、練り歯磨きや練りからし用のチューブ容器の口部に装着されるキャップ本体１に蓋体４が開閉自在にヒンジ６を介して接続するヒンジキャップＡである。また、前記ヒンジキャップＡは、ポリプロピレンやポリエチレンなどの合成樹脂でできている。更に、円筒状の外筒と上部２に内容物を外へ出すための開口部３を有するキャップ本体１と、円筒状の外筒と内面に開口部３を密閉する嵌合部５を有する蓋体４とを一体に短帯形状の弾性変形可能なヒンジ６と、前記ヒンジ６の両側に連設した円錐台面の一部からなる形状の弾性変形可能な弾性帯板７を介して連結したヒンジキャップＡである。
【００１７】
また、図１及び図２に示すように、キャップ本体１の上部２にはヒンジ６と近傍な位置で弾性帯板７と平行な位置に上方に突出したキャップ本体リブ部８をヒンジ６を中心位置として左右に設置している。また、上方に突出した蓋体リブ部１３を前記ヒンジ６と垂直な位置に設ける。前記蓋体４がキャップ本体１と閉蓋した時に、前記上部２の左右に設置された前記キャップ本体リブ部８とキャップ本体リブ部８の間に前記蓋体リブ部１３が入り込み固定するヒンジキャップＡとなる。
【００１８】
更に、左右に設置された前記キャップ本体リブ部８の間に前記蓋体リブ部９が入り込みやすくするために、前記キャップ本体リブ部８の端部と蓋体リブ部９の端部は、なだらかなＲ面を形成している。
【００１９】
また、前記蓋体リブ部９と前記キャップ本体リブ部８の設置場所は、開口部３に近い位置に設置ほど、前記蓋体４の前部１１中心からずれた位置からの開蓋が困難となるため、より効果があるヒンジキャップＡを提供することができるので、前記蓋体リブ部１３を嵌合部５付近まで延長したり、前記キャップ本体リブ部８の開口部３側に面した壁面を開口部３よりに形成しても良い。さらに、前記蓋体リブ部１３の壁部１３ａと前記キャップ本体リブ部８の内壁部８ｂの面が合わさって固定していればいいので、前記キャップ本体リブ部８及び前記蓋体リブ部１３の形状は、四角柱に限定されるものではない。
【００２０】
更に、使用者が蓋体４を開けるときに、蓋体４の前部１１中心からずれた位置に指をかけてしまったり、開ける方向が傾斜ぎみになったりした場合でも、２箇所に設置された前記キャップ本体リブ部８同士が、蓋体４を閉蓋するときに蓋体リブ部９を挟みこみ固定させることで、ヒンジ６と弾性帯板７にひねりを発生させることなく蓋体４の開閉を行うことができるので、前記ヒンジ６と前記弾性帯板７の剪断が起こらず耐久性に優れたヒンジキャップＡを提供することができる。
【００２１】
また、前記蓋体４の天板部１０の外周を外方に突出したツバ部１２を形成することで、練り歯磨きや練りからしなどの粘稠物が入ったチューブ容器を逆さまにして倒立させておけるヒンジキャップＡを提供することができる。すなわち、使用する過程でチューブ容器内に入った内容物を搾り出していくと、内容物がチューブ容器内で片寄った位置に存在してしまう場合があるが、前記ツバ部１２を設けることでチューブ容器を逆さまにして倒立させることが安定的になるので、チューブ容器内に入っている内容物を開口付近に移動させ、次に使用するときに内容物を出しやすくしておくことができるヒンジキャップＡを提供することができる。
【００２２】
更に、前記蓋体リブ部１３が前記キャップ本体リブ部８に入り込み固定されればいいため、前記キャップ本体リブ部８や前記蓋体リブ部１３の形状や設置個数は制限されるものではなく、また、図示以外のヒンジ構造をもつヒンジ形状にも有効に機能は働くものである。
【００２３】
また、本発明であるヒンジキャップＡ１の異なる実施形態１として図４乃至図６に示す。前記ヒンジキャップＡ１は、練り歯磨きや練りからし用のチューブ容器の口部に装着されるキャップ本体１に蓋体４が開閉自在にヒンジ６を介して接続するヒンジキャップＡ１である。また、前記ヒンジキャップＡ１は、ポリプロピレンやポリエチレンなどの合成樹脂でできている。更に、円筒状の外筒と上部２に内容物を外へ出すための開口部３を有するキャップ本体１と、円筒状の外筒と内面に開口部３を密閉する嵌合部５を有する蓋体４とを一体に短帯形状の弾性変形可能なヒンジ６と、前記ヒンジ６の両側に連設した円錐台面の一部からなる形状の弾性変形可能な弾性帯板７を介して連結したヒンジキャップＡ１である。
【００２４】
また、図４及び図６に示すように、キャップ本体１の上部２にはヒンジ６と近傍な位置で弾性帯板７と平行な位置に上方に突出したキャップ本体リブ部８１をヒンジ６を中心位置として設置している。更に、前記蓋体４のヒンジ近傍の蓋体４の内面に凹部９を設けている。前記蓋体４がキャップ本体１と閉蓋した時にキャップ本体リブ部８１が前記凹部９に入り込むことで、前記キャップ本体リブ部８１の外壁部８ａの面と凹部９の内側壁部９ａの面が合わさり固定するヒンジキャップＡ１となる。前記キャップ本体リブ部８１が前記凹部９入り込みやすくするために、前記キャップ本体リブ部８１の端部は、なだらかなＲ面を形成している。
【００２５】
使用者が蓋体４を開けるときに、蓋体４の前部１１中心からずれた位置に指をかけてしまったり、開ける方向が傾斜ぎみになったりした場合でも、キャップ本体リブ部８１が凹部９に入り込み固定するので、無理やり前記前部１１からずれた位置に指をかけて開けようとしても、前記キャップ本体リブ部８１の外壁部８ａの壁面と前記凹部９の内側壁部９ａの壁面とが重なりあっているため、お互いの壁面がガードとなり前記前部１１からずれた位置では前記蓋体４を開けることが困難となる。そのため、ヒンジ６と弾性帯板７にひねりを発生させることなく蓋体４を、前記前部１１の位置から開閉を行うことができるので、前記ヒンジ６と前記弾性帯板７の剪断が起こらず耐久性に優れたヒンジキャップＡ１を提供することができる。
【００２６】
また、前記蓋体４の天板部１０の外周を外方に突出したツバ部１２を形成することで、練り歯磨きや練りからしなどの粘稠物が入ったチューブ容器を逆さまにして倒立させておけるヒンジキャップＡ１を提供することができる。すなわち、使用する過程でチューブ容器内に入った内容物を搾り出していくと、内容物がチューブ容器内で片寄った位置に存在してしまう場合があるが、前記ツバ部１２を設けることでチューブ容器を逆さまにして倒立させることが安定的になるので、チューブ容器内に入っている内容物を開口付近に移動させ、次に使用するときに内容物を出しやすくしておくことができるヒンジキャップＡ１を提供することができる。
【００２７】
また、本発明であるヒンジキャップＡ２の異なる実施形態２として図７乃至図９に示す。前記ヒンジキャップＡ２は、練り歯磨きや練りからし用のチューブ容器Ｂの口部に装着されるキャップ本体１に蓋体４が開閉自在にヒンジ６を介して接続するものである。また、前記ヒンジキャップＡ２は、ポリプロピレンやポリエチレンなどの合成樹脂でできている。更に、円筒状の外筒と上部２に内容物を外へ出すための開口部３を有するキャップ本体１と、円筒状の外筒と内面に開口部３を密閉する嵌合部５を有する蓋体４とを一体に短帯形状の弾性変形可能なヒンジ６と、前記ヒンジ６の両側に連設した円錐台面の一部からなる形状の弾性変形可能な弾性帯板７を介して連結したヒンジキャップＡ２である。
【００２８】
更に、図７及び図８に示すように、キャップ本体１の上部２にはヒンジ６と近傍な位置で弾性帯板７と平行な位置に上方に突出したキャップ本体リブ部８２をヒンジ６を中心位置として左右に設置している。また、前記蓋体４の内面のヒンジ６近傍には凹部９を設けると共に、上方に突出した蓋体リブ部１３を前記ヒンジ６と垂直な位置に設ける。前記蓋体４がキャップ本体１と閉蓋した時に、前記キャップ本体リブ部８２が凹部９に入り込み固定すると共に、前記上部２の左右に設置された前記キャップ本体リブ部８２とキャップ本体リブ部８２の間に前記蓋体リブ部１３が入り込み固定する。前記蓋体４がキャップ本体１と閉蓋した時にキャップ本体リブ部８２が前記凹部９に入り込むことで、前記キャップ本体リブ部８２の外壁部８ａの面と凹部９の内側壁部９ａの面が合わさり固定すると共に、前記キャップ本体リブ部８２の間に前記蓋体リブ部１３が入り込むことで、前記キャップ本体リブ部８２の内壁部８ｂの面と前記蓋体リブ部１３の壁部１３ａの面が合わさり固定するヒンジキャップＡ２となる。
【００２９】
また、図９に示すように左右に設置された前記キャップ本体リブ部８２の間に前記蓋体リブ部９が入り込みやすくするために、前記キャップ本体リブ部８２の端部と蓋体リブ部９の端部は、なだらかなＲ面を形成している。
【００３０】
更に、前記蓋体リブ部９と前記キャップ本体リブ部８２の設置場所は、開口部３に近い位置に設置ほど、前記蓋体４の前部１１中心からずれた位置からの開蓋が困難となるため、より効果があるヒンジキャップＡ２を提供することができるので、前記蓋体リブ部１３を嵌合部５付近まで延長したり、前記キャップ本体リブ部８２の開口部３側に面した壁面を開口部３よりに形成しても良い。さらに、前記蓋体リブ部１３の壁部１３ａと前記キャップ本体リブ部８２の内壁部８ｂの面が合わさって固定していれば、前記凹部９の内側壁部９ａと前記キャップ本体リブ部８２の外壁部８ａの面が合わさっていなくても効果は発揮するので、前記キャップ本体リブ部８２の形状は、四角柱に限定されるものではない。
【００３１】
また、使用者が蓋体４を開けるときに、蓋体４の前部１１中心からずれた位置に指をかけてしまったり、開ける方向が傾斜ぎみになったりした場合でも、凹部９がキャップ本体リブ部８２を挟みこみ固定させると共に、２箇所に設置された前記キャップ本体リブ部８２同士が、蓋体４を閉蓋するときに蓋体リブ部９を挟みこみ固定させることで、ヒンジ６と弾性帯板７にひねりを発生させることなく蓋体４の開閉を行うことができるので、前記ヒンジ６と前記弾性帯板７の剪断が起こらず耐久性に優れたヒンジキャップＡ２を提供することができる。
【００３２】
更に、前記蓋体４の天板部１０の外周を外方に突出したツバ部１２を形成することで、練り歯磨きや練りからしなどの粘稠物が入ったチューブ容器Ｂを逆さまにして倒立させておけるヒンジキャップＡ２を提供することができる。すなわち、使用する過程でチューブ容器Ｂ内に入った内容物を搾り出していくと、内容物がチューブ容器Ｂ内で片寄った位置に存在してしまう場合があるが、前記ツバ部１２を設けることでチューブ容器Ｂを逆さまにして倒立させることが安定的になるので、チューブ容器Ｂ内に入っている内容物を開口付近に移動させ、次に使用するときに内容物を出しやすくしておくことができるヒンジキャップＡ２を提供することができる。
【００３３】
また、前記蓋体リブ部１３が前記キャップ本体リブ部８２に入り込み固定されればいいため、前記キャップ本体リブ部８２、前記蓋体４の凹部９や前記蓋体リブ部１３の形状や設置個数は制限されるものではなく、また、図示以外のヒンジ構造をもつヒンジ形状にも有効に機能は働くものである。
【図面の簡単な説明】
【００３４】
【図１】本発明の実施形態を示すヒンジキャップの斜視図である。
【図２】同実施形態を示すヒンジキャップの平面図である。
【図３】本発明の実施形態のヒンジ周辺を示す斜視図である。
【図４】本発明の異なる実施形態１を示した斜視図である。
【図５】図４の側面図である。
【図６】図４の平面図である。
【図７】本発明の異なる実施形態２を示した斜視図である。
【図８】図７の平面図である。
【図９】図７に示す実施形態のキャップ本体リブ部と蓋体リブ部の重なり合う状態を示す斜視図である。
【符号の説明】
【００３５】
１        キャップ本体
２        上部
３        開口部
４        蓋体
５        嵌合部
６        ヒンジ
７        弾性帯板
８        キャップ本体リブ部
８１      キャップ本体リブ部
８２      キャップ本体リブ部
８ａ      外壁部
８ｂ      内壁部
９        凹部
９ａ      内側壁部
１０      天板部
１１      前部
１２      ツバ部
１３      蓋体リブ部
１３ａ    壁部
Ａ        ヒンジキャップ
Ａ１      ヒンジキャップ
Ａ２      ヒンジキャップ
Ｂ        チューブ容器
【図１】
2010058797.tif 000003
【図２】
2010058797.tif 000004
【図３】
2010058797.tif 000005
【図４】
2010058797.tif 000006
【図５】
2010058797.tif 000007
【図６】
2010058797.tif 000008
【図７】
2010058797.tif 000009
【図８】
2010058797.tif 000010
【図９】
2010058797.tif 000011